(57)【要約】      （修正有）【課題】簡単な組み立て過程、容易で良好な開閉操作性、十分な強度と簡単な構造を持つ、手動および自動多段折れ畳み式洋傘を提供する。【解決手段】主フレーム部はＸ字に交差した２本の上部骨１，３、下部骨２，４の多段繰り返し構造を持つ。このＸ字型２本主フレーム部は、主軸に備わっている固定された上部ろくろ７と可動する下部ろくろ９に連結し、傘主フレーム部の開閉は下部ろくろの上下動によって自動的に行われる。主フレーム部位は、Ｘ字型に交差する２本の骨部のために、強風にも耐える十分な強度を持つ。この強度は、主軸にある上部ろくろと下部ろくろの接近の仕方によって決まる。傘の主フレーム部は、Ｘ字型のパーツの個数の増大によって多段化できる。ここで、段数はＸ字型および横Ｙ字パーツの総数となり、基本的にはＸＸ…Ｘ横Ｙ字の形になる。【選択図】図１
2004181181.tif 000002
【特許請求の範囲】
【請求項１】
以下の条件を満たすことを特徴とする洋傘。
（あ）Ｘ字型、あるいはその変型の２本骨部を持つ。
（い）Ｘ字型、あるいはその変型の２本骨部の繰り返し構造を持つ。
（う）Ｘ字型、あるいはその変型を構成する上部骨と下部骨はピボット連結されている。
（え）一番外側の部分は横Ｙ字型、あるいはその変型である。
【請求項２】
【請求項１】
を満たし、さらに以下の条件を満たすことを特徴とする洋傘。
（お）Ｘ字型および横Ｙ字型骨部において、上部骨の列は同列側に配備され、下部骨の列は逆列側に配備されている。例えば、図１においては、第１上部骨１と第２上部骨３は同じ側（図では左側）にあり、第１下部骨２と第２下部骨４は同じ側（図では右側）にある。
（か）そのために、上方から見ると、上部骨と下部骨の列は２列になっている。（図３参照。）
【請求項３】
【請求項１】
、
【請求項２】
を満たし、さらに以下の条件を満たすことを特徴とする洋傘。
（き）傘のフレーム（骨部）が、円柱、中空円柱、角柱、Ｕ字形柱、Ｔ字形柱、棒状、穴空き板などの形状である（図６参照。）。
（く）これらの形状を持つ傘のフレーム（骨部）が、直線上である。
（け）これらの形状を持つ傘のフレーム（骨部）が、わい曲している。
（こ）あるいは、（き）〜（け）の組み合わせで出来ている。
（さ）これらの形状物が、必要な強度を持つさまざまな材質できている。例えば、金属、合金、プラスティック、木、紙、合板など。
【請求項４】
【請求項１】
、
【請求項２】
、
【請求項３】
を満たし、さらに以下の条件を満たすことを特徴とする洋傘。
（し）Ｘ字型の開き具合を調節するための特殊な仕組みを持つ（図１参照。）。
（す）Ｘ字型の開き具合を調節するための特殊なろくろを持つ。
（せ）Ｘ字型の開き具合を調節するための特殊な上部ろくろの形状を持つ。
（そ）Ｘ字型の開き具合を調節するための特殊な下部ろくろの形状を持つ。
【請求項５】
【請求項１】
、
【請求項２】
、
【請求項３】
、
【請求項４】
を満たし、さらに以下の条件を満たすことを特徴とする洋傘。
（た）Ｘ字型骨部のピボットに特殊な形状を持つ。
（ち）Ｘ字型骨部のピボットと骨部の一体型の特殊な形状の骨部を持つ。
（つ）骨部のピボット部に固定された突出したピボット（オスピボット）を持つ骨部と、骨部のピボット部に受け穴（メスピボット）を持つ骨部の２種類を持ち、それらを入れ子に組み立てたＸ字型骨部を持つ。
【請求項６】
【請求項１】
、
【請求項２】
、
【請求項３】
、
【請求項４】
、
【請求項５】
を満たし、さらに以下の条件を満たすことを特徴とする洋傘。
（て）傘フレームを強化するために、手動式の場合には上部ろくろ、下部ろくろに、自動式の場合には、上部ろくろ、中央ろくろ、下部ろくろに特殊な形状を持つ。
【発明の詳細な説明】
【０００１】
【発明の属する技術分野】
本発明は、バックミンスターフラーのシナジェティクス原理に基づく、多段に折れ畳むまったく新しいタイプの洋傘、および自動伸長する洋傘に関する。
【０００２】
【従来の技術】
従来の折れ畳み傘の原理は、現在一般に市販されている折れ畳み傘やその改良案である特許庁にあるたくさんの特許文献（例えば、ＩＰＣ分類名でＡ４５Ｂ１１／００〜１９／００、２３／００、２５／００の中にある、
【特許文献１】特願平１１−１０８５２５など。）に見るように、主に傘フレーム（骨部）が、Ｕ字型あるいは円形の一本のロッドを基調に多段階（通常、２段あるいは３段）に折れ畳む構造原理を基本にしている。そのため、強風の際には、フレームが歪曲したり、折れたり、おちょこ型になったりして、強度が十分でないという難点を持つ。
【０００３】また、通常従来の折れ畳み傘は、傘のフレームが折れ畳まれた状態から広げるわけだが、その際、２段に折れ畳んだフレームを一度手動で伸ばしてから傘を広げなくてはならないという不便がある。
【０００４】さらに、通常従来の折れ畳み傘は、折れ畳みの際にフレーム部分を２段に折れ畳むのだが、その際にも再び手動で折れ畳む必要がありとても不便でもある。
【０００５】
【発明が解決しようとする課題】
本発明が解決しようとする課題は、（あ）傘の開閉の際に容易に自動的に折れ畳むことができるような操作性に富み、（い）使用時にも十分に強風に耐えるだけの強度を持った構造を持つ、（う）多段階に折れ畳む、洋傘を提供することを目的とする。および、本発明の原理と既存の自動伸開する傘の原理と組み合わせて、自動伸開多段階折れ畳み傘を提供することを目的とする。
【０００６】
【課題を解決するための手段】
上記の目的を達成するために、本発明は、以下を特徴とする手動の多段折れ畳み傘（図１参照。）および自動の多段折れ畳み傘（図６参照。）である。
【０００７】
（あ）主フレーム（骨部）がＸ字に交差した２本の主フレームを基本にして構成されている。（図１参照。）
【０００８】
（い）多段階折れ畳みを実現するために、そのＸ字の交差した２本の骨部をＸＸ、ＸＸＸなどのように多段階に結合した構造を持つ。
【０００９】
（う）最初のＸ字の２本のＸ字の上下部骨１、２は、上部骨１は中央軸の固定された上部ろくろ７にピボット１０ａで固定され、一方下部骨２は可動式の下部ろくろ９にピボット１０ｂで固定されている。（図１参照。）
【００１０】
（え）通常、多段階式傘の多段数は２段ないしは３段であるが、本発明では、それはＸ字パーツの個数をＸＸ…Ｘのように増大することにより、任意の段数にまで応用可能である。（図４、図５参照。）そのために、ビーチパラソルのような巨大な傘へも応用可能である。
【００１１】
（お）折れ畳みプロセスは、可動する下部ろくろ９を固定された上部ろくろ７に手動ないしは自動で接近させることによって、自動的に折れ畳む（図２参照。）。したがって、通常の多段傘のように手でフレーム部を折り曲げる必要が全くない。
【００１２】
（か）傘を開いた状態の強風に対する傘の強度は、固定された上部ろくろ７と可動する下部ろくろ９の距離に依存する。この距離が短いほど風に対する強度は弱くなる。しかし、その場合においても従来の傘よりも強度に優れいている。本発明の傘は、この距離を別の固定された調節ろくろ６の長さによって調節できる構造を持つ（図２参照。）。
【００１３】
（き）本発明による傘は、Ｘ字上部骨下部骨パーツが、折れ畳んだ際に平行に隣接することができる。そのために、従来の傘のように１本の上骨で傘を支持する方法と違い、傘の十分な強度が得られる（図３参照。）。
【００１４】
（く）さらに、本発明の傘は、基本パーツが従来の多段折れ畳み傘より少ない。そのために、傘本体の軽量化を実現できる。また、組み立てにおいても簡単にアセンブルできる。
【００１５】
【発明の実施形態、実施例】
図１は、手動式２段折れ畳み傘を開いた状態を示している縦断面図である。図２は、手動式２段折れ畳み傘を閉じた状態を示している縦断面図である。図３は、手動式２段折れ畳み傘を開いた状態を上から見た横断面図である。図４は、手動式２段折れ畳み傘を開いた状態を斜めから見た図である。図５は、手動式３段折れ畳み傘を開いた状態を示している縦断面図である。これから任意の段数の場合に応用可能である。図６は、自動式２段折れ畳み傘を開いた状態を示している縦断面図である。以上の図２−６は、省略のために、一本の柄の部分だけを描いている。しかし、実際の傘では、これと同じものが、少なくとも４本から多くて１２本あると想定している。通常の傘では、８本である。図７は、骨部のパーツの種類を描いた図である。
【００１６】
本発明を実施するにあたり、第１に、（あ）手動式２段折れ畳み傘の場合、図１に見るように、計４本の第１骨部１、２、第２骨部３、４を持つ。これらは、次のように組み立てられる。第１上部骨１は、中央軸１２と固定された上部ろくろ７とピボット１０ａで止められ、第１下部骨２は、可動する下部ろくろ９のピボット１０ｂで固定される。第１上部骨１と第１下部骨２は、中央部のピボット１０ｃでつなげられる。第２上部骨３は、第１下部骨２とピボット１０ｄで連結され、第２下部骨４は、第１上部骨１とピボット１０ｅで連結される。そして、最後に第２上部骨３と第２下部骨４は、中央のピボット１０ｆで連結される。第２上部骨３の先端には、骨先端部５が付いている。
【００１７】
第２に、（い）手動式３段折れ畳み傘の場合、図５に見るように、計６本の第１骨部１、２、第２骨部３、４、および第３骨部１５、１６を持つ。これらは、次のように組み立てられる。第１上部骨１は、中央軸１２と固定された上部ろくろ７とピボット１０ａで止められ、第１下部骨２は、可動する下部ろくろ９のピボット１０ｂで固定される。第１上部骨１と第１下部骨２は、中央部のピボット１０ｃでつなげられる。第２上部骨３は、第１下部骨２とピボット１０ｄで連結され、第２下部骨４は、第１上部骨１とピボット１０ｅで連結される。第２上部骨３と第２下部骨４は、中央のピボット１０ｆで連結される。第３上部骨１５は第２下部骨４とぽ没と１０ｇで連結され、第３下部骨１６は、第２上部骨３とピボット１０ｈで連結される。第３上部骨１５と第３下部骨１６は、中央のピボット１０ｉで連結され、そして、最後に、第３上部骨１５の先端には、骨先端部５が付いている。
【００１８】
第３に、（う）３段以上の段数を持つ、一般の段数の多段折れ畳み傘の場合には、（い）のプロセスを繰り返すことで、容易に実現される。この場合には、Ｎ段の場合には、Ｘ字部がＮ個あることになるので、上部骨Ｎ本、下部骨Ｎ本の計２Ｎ本の骨部（フレーム）を持つ。そして、この場合には、第ｎ番目の上部骨は、第（ｎ−１）番目と第（ｎ＋１）番目の下部骨と両端をピボットで連結され、第ｎ番目の下部骨は、第（ｎ−１）番目と第（ｎ＋１）番目の上部骨と両端をピボットで連結される。ここで、第１番目の上部骨は、上部ろくろ７のピボット１０ａで連結され、第１番目の下部骨は下部ろくろ９のピボット１０ｂと連結される。第Ｎ番目の下部骨は他の骨の半分の長さであり、第Ｎ番目の上部骨の中央のピボットで連結される。
【００１９】
第４に、（え）自動式多段階折れ畳み傘の場合、図６に見るように、基本的には手動式多段階折れ畳み傘の場合と同様の傘のフレーム部（骨部）を持つ。しかし、この場合には、上部ろくろ７と下部ろくろ９のほかに中央ろくろ２０が必要になる。そして、第１下部骨はピボット１０ｂでこの中央ろくろで連結される。さらに、第１下部骨と下部ろくろ９は、張り骨１８でピボット１７ａと１７ｂで連結される。中央ろくろ２０と下部ろくろ９の間には、解放用バネ１９が必要となる。
【００２０】
【発明の効果】
以上説明したように、本発明は、一般的な汎用洋傘の基本構造に刷新を行うものである。そのため、２段折り畳み傘からビーチパラソルまで従来の洋傘すべてに適用可能である。本発明は、個人が携帯する洋傘としては、２段か３段の構造で十分な強度を持ち、折り畳み機能に優れ、強風へも十分な傘フレーム強度を持つ。そればかりか、パーツの個数は従来の折り畳み傘よりもはるかに少なくて済み、良好な組み立て、操作性、メンテナンス、強度、ファッション性などあらゆる点でメリットを持つ、軽量の手動および自動多段折れ畳み傘を提供できる。
【図面の簡単な説明】
【図１】手動式２段折れ畳み傘を開いた状態を示している縦断面図であ
【図２】手動式２段折れ畳み傘を閉じた状態を示している縦断面図である。
【図３】手動式２段折れ畳み傘を開いた状態を上から見た横断面図である。
【図４】手動式２段折れ畳み傘を開いた状態を斜めから見た図である。
【図５】手動式３段折れ畳み傘を開いた状態を示している縦断面図である。
【図６】自動式２段折れ畳み傘を開いた状態を示している縦断面図である。
【図７】骨部のパーツ構造の種類を描いた図である。
【符号の説明】
１    第１上部骨
２    第１下部骨
３    第２上部骨
４    第２下部骨
５    骨先端部
６    傘強度を調整する調節ろくろ
７    上部ろくろ（固定）
８    上部ろくろピボットサポート
９    下部ろくろ（可動式、つめ穴付）
１０ａ  上部ろくろピボット
１０ｂ  下部ろくろピボット
１０ｃ  第１骨部中央ピボット
１０ｄ  第１下部骨と第２上部骨連結ピボット
１０ｅ  第１上部骨と第２下部骨連結ピボット
１０ｆ  第２上部骨と第２下部骨連結中央ピボット
１１    傘軸の先端部
１２    中央軸
１３    下部つめ
１４    上部つめ
１５    第３上部骨
１６    第３下部骨
１７ａ  第１下部骨と張り骨連結ピボット
１７ｂ  張り骨と下部ろくろ連結ピボット
１８    張り骨
１９    解放バネ
２０    中央部ろくろ
２１    円柱骨
２２    角柱骨
２３    中空円柱型骨
２４    Ｕ字型骨
２５    Ｔ字型骨
２６    上面が歪曲した骨
２７    板状骨
２８    穴空き板状骨
【図１】
2004181181.tif 000003
【図２】
2004181181.tif 000004
【図３】
2004181181.tif 000005
【図４】
2004181181.tif 000006
【図５】
2004181181.tif 000007
【図６】
2004181181.tif 000008
【図７】
2004181181.tif 000009